(57)【要約】      （修正有）【課題】大容量記憶部への電源の過度なオンオフを抑え、寿命を維持できるようにする。【解決手段】大容量記憶部５は当該機器の電子データを記憶する。電源供給部１５は大容量記憶部５に駆動電源を供給する。起動カウント部３５は大容量記憶部５の起動回数をカウントする。記録部７は、大容量記憶部５に係る基準起動回数、使用予定年数、一定の稼働日数、稼働日数内の一定期間当たりの大容量記憶部５の起動制限回数を記録する。起動制御部３７は、一定期間毎における起動カウント部３５からのカウント値が当該一定期間の起動制限回数を超えるオーバ回数を算出し、次回の一定期間の起動制限回数からオーバ回数を減算した実起動制限回数を算出する。起動制御部３７は、次回にて起動カウント部３５のカウント値が次回起動制限回数を超えるとき、省電力モードに移行時に大容量記憶部５に電源を継続供給するよう電源供給部１５を制御する。【選択図】図５
2011025423.tif 000002
【特許請求の範囲】
【請求項１】
当該機器の電子データを記憶する大容量記憶部と、
この大容量記憶部に駆動電源を供給する電源供給部と、
前記大容量記憶部の起動回数をカウントする起動カウント部と、
前記大容量記憶部に係る基準起動回数、使用予定年数、一定の稼働日数、前記稼働日数内の一定期間における起動制限回数を記録する記録部と、
前記一定期間毎に、当該一定期間内における前記起動カウント部からのカウント値が当該一定期間の前記起動制限回数を超えるオーバ回数を算出し、次回の前記一定期間における前記起動制限回数から前記オーバ回数を減算した次回起動制限回数を算出し、次回において、前記起動カウント部からのカウント値が前記次回起動制限回数を超えるとき、省電力モードに移行時に前記大容量記憶部に電源を継続供給するよう前記電源供給部を制御する起動制御部と、
を具備することを特徴とする電子機器。
【請求項２】
前記大容量記憶部はハードディスクである請求項１記載の電子機器。
【請求項３】
前記一定期間は、１日である請求項１又は２記載の電子機器。
【請求項４】
前記起動制御部は、前記オーバ回数の算出に基づき、当該一定期間の起動回数が起動制限回数を超える旨を表示部に表示制御する請求項１〜３いずれか１記載の電子機器。
【請求項５】
前記起動制御部は、前記オーバ回数を前記表示部に表示制御する請求項４記載の電子機器。
【請求項６】
電源供給部からの駆動電源の供給と遮断によって起動と停止するとともに、当該機器の電子データを記憶する大容量記憶部おける起動回数をカウント処理し、
予め、前記大容量記憶部に係る基準起動回数、使用予定年数、一定の稼働日数、前記稼働日数内の一定期間における起動制限回数を記録する記録部を用い、前記一定期間毎に、当該一定期間内における前記起動カウント部からのカウント値と当該一定期間の前記起動制限回数を比較して前記起動制限回数を超えるオーバ回数を算出処理し、
次回の前記一定期間における前記起動制限回数から前記オーバ回数を減算した次回実起動制限回数を算出処理し、
次回において前記起動カウント部からのカウント値が前記次回起動制限回数を超えるとき、省電力モードに移行時に、前記大容量記憶部に電源を継続供給するよう前記電源供給部を制御する電源制御処理と、
を具備することを特徴とする電子機器の記憶部制御方法。
【請求項７】
前記大容量記憶部はハードディスクである請求項６記載の電子機器の記憶部制御方法。
【請求項８】
前記一定期間は、１日である請求項６又は７記載の電子機器の記憶部制御方法。
【請求項９】
前記電源制御処理は、前記オーバ回数の算出に基づき、当該一定期間の起動回数が起動制限回数を超える旨を表示部に表示する請求項６〜８いずれか１記載の電子機器の記憶部制御方法。
【請求項１０】
前記電源制御処理は、前記オーバ回数を前記表示部に表示する請求項９記載の電子機器の記憶部制御方法。
【発明の詳細な説明】
【技術分野】
【０００１】
本発明は電子機器および電子機器の記憶部制御方法に係り、ハードディスク（ＨＤＤ）等の大容量記憶部を搭載した複写機、ファクシミリ機又はこれらの複合機（ＭＦＰ：Multi Function Peripheral）等の電子機器およびこれに用いる記憶部制御方法の改良に関する。
【背景技術】
【０００２】
近年、電子機器においては、大量の画像データを読み込んだり画像形成する一方、それら大量の画像データの蓄積やソーティング処理等の実行のために、ハードディスク等の大容量記憶部を搭載している。
【０００３】
そして、ハードディスクは、スピンドルモータ等によって磁気ディスクを回転させながらヘッドをスライドさせてデータの記憶や読み出しを行っている。
【０００４】
ところが、電子機器においては、起動に最低限必要な部分以外への電源供給を遮断して電力エネルギーを節約する省電力モードへ移行する場合、一般的にハードディスクへ供給する電源も遮断し、省電力モードから通常モードに復帰するとき再度電源を供給して起動を再開する。
【０００５】
この場合、ハードディスクにおいては、電源遮断時にヘッドがホームポジションに戻る一方、電源供給再開時には素早くヘッドを移動させることから磁気ディスク盤面の損傷等が生じる可能性があり、使用の安全性や再利用の可能性を確保する工夫がなされている。
【０００６】
特開２００１−５１５５７号公報（特許文献１）の画像形成装置に用いられるリサイクルユニットはこの種のものである。
【０００７】
特許文献１は、モータユニット、スイッチユニット、電源ユニットからリサイクルユニットを形成し、このリサイクルユニットには、再生時に必要となる情報として、モータユニット、スイッチユニット、電源ユニットのリサイクルに適した情報が書き込まれる不揮発性メモリを設け、画像形成装置に用いられる特定のユニットについて、その構成部品の交換、修理等を最適に行い、ユニット単独で部品交換の要否等を判断できるようにしたものである。
【先行技術文献】
【特許文献】
【０００８】
【特許文献１】特開２００１−５１５５７号公報
【発明の概要】
【発明が解決しようとする課題】
【０００９】
しかしながら、ハードディスクは起動回数がその寿命に大きく影響するが、例えば特許文献１では、その起動回数についてはあまり注意が払われておらず、本来予定する製品寿命に到達する以前にハードディスクの寿命が尽きることも懸念される。
【００１０】
特に近年、電子機器の省電力化の要求が高くなり、頻繁にハードディスクの電源供給をオンオフすることがあり、使用状況や節電モードの設定状況によってはハードディスクの不具合によって電子機器の動作に支障を来す心配が高まっている。
【００１１】
そこで、本発明者は、電子機器およびこれに搭載したハードディスク等の大容量記憶部について鋭意観察および検討した結果、大容量記憶部、特にハードディスクの稼働日および使用予定年数から起動回数上限を設定し、これに基づいて日常の起動制限回数を制限すれば、大容量記憶部の致命的な不具合に至る前に対応可能である点に着目し、本発明を完成させた。
【００１２】
本発明はそのような課題を解決するためになされたもので、所望の期間にわったって大容量記憶部の寿命を維持することの可能な電子機器およびこれに用いる記憶部制御方法の提供を目的とする。
【課題を解決するための手段】
【００１３】
そのような課題を解決するために本発明の請求項１に係る電子機器は、当該機器の電子データを記憶する大容量記憶部と、この大容量記憶部に駆動電源を供給する電源供給部と、その大容量記憶部の起動回数をカウントする起動カウント部と、その大容量記憶部に係る基準起動回数、使用予定年数、一定の稼働日数、その記稼働日数内の一定期間における起動制限回数を記録する記録部と、その一定期間毎に、この一定期間内における起動カウント部からのカウント値が当該一定期間の起動制限回数を超えるオーバ回数を算出し、次回の一定期間における起動制限回数からオーバ回数を減算した次回起動制限回数を算出し、その次回において起動カウント部からのカウント値が次回起動制限回数を超えるとき、省電力モードに移行時に大容量記憶部に電源を継続供給するよう電源供給部を制御する起動制御部と、を具備している。
【００１４】
本発明の請求項２に係る電子機器は、上記大容量記憶部がハードディスクである構成を有している。
【００１５】
本発明の請求項３に係る電子機器は、上記一定期間を１日とする構成を有している。
【００１６】
本発明の請求項４に係る電子機器は、上記起動制御部が、そのオーバ回数の算出に基づき当該一定期間の起動回数が起動制限回数を超える旨を表示部に表示制御する構成を有している。
【００１７】
本発明の請求項５に係る電子機器は、上記起動制御部が、そのオーバ回数を表示部に表示制御する構成を有している。
【００１８】
本発明の請求項６に係る電子機器の記憶部制御方法は、電源供給部からの駆動電源の供給と遮断によって起動と停止するとともに当該機器の電子データを記憶する大容量記憶部おける起動回数をカウント処理し、予めその大容量記憶部に係る基準起動回数、使用予定年数、一定の稼働日数、その稼働日数内の一定期間における起動制限回数を記録する記録部を用い、その一定期間毎に、この一定期間内における起動カウント部からのカウント値と当該一定期間の起動制限回数を比較して起動制限回数超えるオーバ回数を算出処理し、次回の一定期間における起動制限回数からオーバ回数を減算した次回起動制限回数を算出処理し、次回においてその起動カウント部からのカウント値が次回起動制限回数を超えるとき、省電力モードに移行時に、その大容量記憶部に電源を継続供給するよう電源供給部を制御する電源制御処理と、を具備している。
【００１９】
本発明の請求項７に係る電子機器の記憶部制御方法は、上記大容量記憶部をハードディスクとして構成可能である。
【００２０】
本発明の請求項８に係る電子機器の記憶部制御方法は、上記一定期間を１日として構成可能である。
【００２１】
本発明の請求項９に係る電子機器の記憶部制御方法は、上記電源制御処理が、そのオーバ回数の算出に基づき当該一定期間の起動回数が起動制限回数を超える旨を表示部に表示する構成も可能である。
【００２２】
本発明の請求項１０に係る電子機器の記憶部制御方法は、上記電源制御処理が、そのオーバ回数を表示部に表示する構成も可能である。
【発明の効果】
【００２３】
このような本発明の請求項１、６に係る電子機器および記憶部制御方法では、当該機器の電子データを記憶する大容量記憶部おける起動回数をカウントし、その一定期間毎に、一定期間内における起動カウント部からのカウント値と当該一定期間の起動制限回数を比較して起動制限回数超えるオーバ回数を算出し、次回の一定期間における起動制限回数からオーバ回数を減算した次回起動制限回数を算出し、次回において、その起動カウント部からのカウント値が次回起動制限回数（本日の起動制限回数）を超えるとき、省電力モードに移行時でも、その大容量記憶部に電源を継続供給するよう制御するから、所望の期間にわたって大容量記憶部の寿命を維持することが可能となる。
【００２４】
本発明の請求項２、７に係る電子機器および記憶部制御方法は、上記大容量記憶部をハードディスクとして構成するから、特に、ハードディスクにあって所望の期間にわたる寿命の維持が可能となる。
【００２５】
本発明の請求項３、８に係る電子機器および記憶部制御方法は、上記一定期間を１日とするから、日々の過度な消耗を抑えることが可能になる。
【００２６】
本発明の請求項４、９に係る電子機器および記憶部制御方法は、そのオーバ回数の算出に基づき当該一定期間の起動回数が起動制限回数を超える旨を表示部に表示するから、使用者にとって過度な消耗を把握可能になる。
【００２７】
本発明の請求項５、１０に係る電子機器および記憶部制御方法は、そのオーバ回数を表示部に表示するから、使用者にとって過度な消耗をより具体体に把握可能になる。
【図面の簡単な説明】
【００２８】
【図１】本発明に係る電子機器の実施の形態を示す概略ブロック図である。
【図２】本発明に係る電子機器の内部構成を説明する図である。
【図３】本発明に係る電子機器の設定情報テーブルを説明する図である。
【図４】本発明に係る電子機器の操作パネル部を説明する図である。
【図５】本発明に係る電子機器の主要部の構成を説明するブロック図である。
【図６】本発明に係る電子機器の動作を説明するフローチャートである。
【発明を実施するための形態】
【００２９】
以下、本発明に係る電子機器および記憶部制御方法の実施の形態を図面を参照して説明する。なお、本発明に係る記憶部制御方法は本発明に係る電子機器を説明する過程で説明する。
【００３０】
図１は本発明に係る電子機器Ａの構成を示す概略ブロック図である。
【００３１】
図１において、電子機器Ａは、主制御部１を中心としてこれに接続された画像読取部３、ハードディスク（大容量記憶部）５、ＲＡＭ７、操作パネル部９、通信部１１、印刷部１３および電源供給部１５を有し、例えば複合機を構成している。電子機器Ａは、これら以外にも電源部１７その他の構成要素を有するが、本発明の要部ではないので説明および図示を省略する。
【００３２】
ここで、複合機としての電子機器Ａの内部構成を簡単に説明しておく。
【００３３】
電子機器Ａは、図２に示すように、本体ケース１９内に、シート材２１のセットされる複数の給紙段２３（図中１個のみ示す。）と、後述する画像データに基づきトナーカセット２５ａからのトナーで感光体ドラム２５ｂにトナー現像して中間転写ベルト２７に転写する転写部２５と、転写された中間転写ベルト２７からトナー像の転写されたシート材２１の転写画像を定着する定着部２９と、定着されたシート材２１を排紙する排紙部３１等を有する印刷部１３等とを有している。
【００３４】
印刷部１３において、モータ回転駆動された複数のローラ２５ｃによってシート材２１が１次給紙および２次給紙されて給紙搬送され、転写部２５は、画像データを感光体ドラム２５ｂに潜像を形成し、これにトナー現像してシート材２１に転写するようになっている。図２中の感光体ドラム２５ｂは、マゼンタ（Ｍ）、シアン（Ｃ）、イエロ（Ｙ）およびブラック（Ｋ）のカラー用転写ドラムを有している。
【００３５】
上述したハードディスク５、ＲＡＭ７、操作パネル部９、通信部１１および電源供給部１５は、本体ケース１９内の適当な位置に配置されている。
【００３６】
図１に戻って、画像読取部３は、主制御部１の制御の下、例えば印刷された複数頁の原稿から画像を光学的に読み込み、ディジタル画像データを生成して主制御部１からハードディスク５に出力する公知のスキャナ等であり、画像入力部として機能する。
【００３７】
ハードディスク５は、主制御部１の制御の下、画像データ、種々のデータ等を蓄積記憶する読み書き可能な大容量記憶部（ＨＤＤ）であり、電源供給部１５によって供給電源がオンオフされるようになっている。
【００３８】
ＲＡＭ７は、主制御部１の起動プログラムや演算動作プログラム、ハードディスク５に係る設定情報テーブル等を格納した記録部としての不揮発性メモリである。
【００３９】
設定情報テーブルは、図３に示すように、ハードディスク５について、「起動回数上限」、「使用予定年数」、「１ヶ月稼働日数」、「１日の起動制限回数」、「前日の制限オーバ回数」、「本日の制限オーバ回数」および「本日の起動制限回数」を変更可能にテーブル状に設定したものである。
【００４０】
例えば、予め、「起動回数上限」は「５０，０００回」、「使用予定年数」は「５年」、「１ヶ月稼働日数」は「２０日」に設定されており、これらに基づき「１日の起動制限回数」は主制御部１によって「４１回」に算出され、設定されている。
【００４１】
図１の操作パネル部９は、図２の本体ケース１９の上部に配置され、主制御部１の制御の下、例えば、種々の動作状態の表示が可能な表示部としての公知の例えば液晶表示パネルと、装置の動作に係る画像が表示された箇所をタッチすることにより、画像読取、印刷指示、上述した「起動回数上限」、「使用予定年数」および「１ヶ月稼働日数」等を受付ける入力部としての機能を有している。
【００４２】
すなわち、操作パネル部９は、例えば図４に示すように、印刷（印字、コピー）処理、プリンタ処理、スキャナ処理、ファックス処理等の種々の操作指示や選択をする選択キー９ａ、それらの操作に係る動作機能の設定、変更等を入力する入力部としてのテンキー９ｂ、スタートキー９ｃ、表示パネル部９ｄ等を有している。
【００４３】
表示パネル部９ｄは、後述するように、オーバ回数の算出に基づき１日の起動回数が起動制限回数を超える旨、好ましくはオーバ回数を表示する表示部として機能する。
【００４４】
図１の通信部１１は、主制御部１の制御の下、ネットワークを介して例えば他の複合機（何れも図示せず。）との間で、種々の画像データ等を所定のプロトコルで送受信するインターフェース部であり、画像入力部として機能している。
【００４５】
印刷部１３は、上述したように、画像データに基づきシート材２１にトナー画像を転写定着して排紙するカラー印刷エンジンである。
【００４６】
電源供給部１５は、主制御部１の制御の下、電源部１７からの駆動電源をハードディスク５に供給制御するものであり、電子機器Ａ本体の電源を遮断するときのみならず、起動に最低限必要な部分以外への電源供給を遮断する省電力モード（スリープモード）へ移行するときに供給電源を遮断制御し、電子機器Ａ本体の電源を投入したとき、および省電力モードから通常モードに復帰するとき再度電源供給を再開制御する機能を有している。
【００４７】
電源部１７は、例えば商用交流電源から所定の直流電源等を生成して電源供給部１５を介してハードディスク５に電源を供給する他、電子機器Ａ本体内の各部分に電源を供給するものである。
【００４８】
主制御部１は、ＣＰＵを主体に形成されており、上述した画像読取部３、ハードディスク５、ＲＡＭ７、操作パネル部９、通信部１１、印刷部１３および電源供給部１５等を制御し、所定期間（例えば１〜数分）にわたって操作パネル部９から入力指示や印刷部１３等の動作がないとき、省電力モードへ移行制御する機能を有する他、起動回数算出部３３、起動カウント部３５、起動制御部３７およびリセット部３９としての機能を有している。
【００４９】
図５は、それら起動回数算出部３３、起動カウント部３５、起動制御部３７、リセット部３９、電源供給部７およびハードディスク５を中心に構成を示すブロック図である。
【００５０】
起動回数算出部３３は、ＲＡＭ７内の上述した設定情報テーブルを参照し、「起動回数上限」、「使用予定年数」および「１ヶ月稼働日数」から「１日の起動制限回数」を算出して設定情報テーブルに格納する機能を有している。なお、「１日の起動制限回数」の算出式は次のように示される。
【００５１】
１日の起動制限回数  ＝
起動回数上限÷使用予定年数÷１２÷１ヶ月の稼動日数（少数点以下切捨）」
【００５２】
起動カウント部３５は、１日毎に、ハードディスク５の起動回数をカウントする機能を有し、カウント値を起動制御部３７に出力する。なお、ハードディスク５の起動回数は、電子機器Ａの起動回数および省電力モードからの復帰回数でもある。
【００５３】
起動制御部３７は、１日毎に、起動カウント部３５からのカウント値が「１日の起動制限回数」を超えたか否か監視してオーバするオーバ回数を算出し、「１日の起動制限回数」を超えてオーバするとき、オーバ回数を「本日の制限オーバ回数」として設置情報テーブルに格納するとともに、操作パネル部９の表示パネル部９ｄにオーバ回数を表示制御する機能を有している。なお、表示パネル部９ｄでの表示はオーバする旨の表示であっても良い。
【００５４】
起動制御部３７は、「１日の起動制限回数」を超えてオーバするとき、省電力モードへの移行時に、ハードディスク５への電源を継続供給するよう電源供給部１５を制御する機能を有している。
【００５５】
起動制御部３７は、翌日において、「本日の制限オーバ回数」を「前日の制限オーバ回数」に置き換え、「１日の起動制限回数」から「前日の制限オーバ回数」を減算して「次回起動制限回数」としての「本日の起動制限回数」を算出し、オーバ回数を設置情報テーブルに格納するとともに、起動カウント部３５からのカウント値が「１日の起動制限回数」を超えるとき、前日と同様の動作をする機能を有している。
【００５６】
リセット部３９は、日付が変わる毎に、起動カウント部３５のカウント値を「１」にリセットする機能を有している。
【００５７】
次に、上述した電子機器Ａの動作を、図６を参照して簡単に説明する。
【００５８】
なお、図３に示すような設定情報テーブルがＲＡＭ７に予め格納されているとして説明する。
【００５９】
毎日、電子機器Ａが最初に起動されると、動作プログラムも起動開始し、ステップＳ１にて、起動制御部３７が設定情報テーブルに対し、「本日の制限オーバ回数」を「前日のオーバ回数」にセット処理し、ステップＳ２にてリセット部３９が「本日のオーバ回数」をリセット処理し、ステップＳ３にて起動制御部３７が「１日の起動制限回数」から「前日の制限オーバ回数」を減算して「本日の起動制限回数（次回起動制限回数）」にセット処理する。
【００６０】
続くステップＳ４では、起動カウント部３９がハードディスク５の起動回数（機器の起動回数と省電力モードからの復帰回数）をカウント処理し、ステップＳ５にて起動制御部３７がオーバ回数の有無を判別する。
【００６１】
オーバ回数がなくてステップＳ５がＮＯであればステップＳ７に移り、オーバ回数があってステップＳ５がＹＥＳであれば、ステップＳ６にて起動制御部３７が「本日の制限オーバ回数」に「１」を加算して設定情報テーブルを更新し、ステップＳ７に移る。
【００６２】
ステップＳ７では省電力モードへの移行指示を処理し、ステップＳ８にて起動制御部３７が「オーバ回数」の有無を判別し、「オーバ回数」がなくてステップＳ８がＮＯであればステップＳ９に移り、起動制御部３７が電源供給部１５を制御してハードディスク５への電源供給を遮断してステップＳ４に戻り、「オーバ回数」があってステップＳ８がＹＥＳであればステップＳ１０に移り、起動制御部３７が電源供給部１５を制御してハードディスク５への電源供給の継続を指示してステップＳ４に戻る。なお、上述した処理は、適当な操作によって処理ループを抜ける。
【００６３】
そして、これらの工程や処理手順が、本発明に係る記憶装置制御方法に該当する。
【００６４】
このように本発明に係る電子機器Ａは、当該機器の電子データを記憶するハードディスク（大容量記憶部）５と、このハードディスク５に駆動電源を供給する電源供給部１５と、そのハードディスク５の起動回数をカウントする起動カウント部３５と、そのハードディスク５に係る基準起動回数、使用予定年数、１ヶ月の稼働日数、その稼働日数内の１日当たりのハードディスク５の起動制限回数を記録するＲＡＭ（記録部）７と、その１日毎に当日における起動カウント部３５からのカウント値が当該１日当たりの起動制限回数を超えるオーバ回数を算出し、次の１日における起動制限回数からオーバ回数を減算した実起動制限回数を算出し、次の１日におけるその起動カウント部３５からのカウント値が実起動制限回数を超えるとき、省電力モードへの移行時にハードディスク５に電源を継続供給するよう電源供給部１５を制御する起動制御部３７と、を具備している。
【００６５】
そのため、毎日、当日の起動制限回数を超えるハードディスク５の電源オンオフがあったとき、省電力モードへの移行時に、ハードディスク５への電源供給がオフされず、ハードディスク５の過度なオンオフ繰り返しを抑え、所望の期間にわたってハードディスク５の寿命を維持することが可能となる。
【００６６】
しかも、一定期間として１日毎に起動制限回数を超えるオーバ回数を算出して管理するから、日常から過度な消耗を抑えることが可能になる。
【００６７】
また、本発明の電子機器Ａにおいては、そのオーバ回数の算出に基づき当該一定期間の起動回数が起動制限回数を超える旨を操作パネル部９に表示したり、オーバ回数を表示する構成も可能であり、使用者にとって過度な消耗をより具体体に把握可能になり、より一層適切な使い方が可能で、ハードディスク５の寿命を維持することが容易となる。
【００６８】
ところで、本発明の電子機器Ａにおいては、ハードディスク５に係る基準起動回数、使用予定年数、一定の稼働日数、その稼働日数内の一定期間は、「５０，０００回」、「５年」、「２０日」、「１日」等に限定されず、一定の稼働日数を「３０日」、一定期間を「１週間」とする等、任意に設定可能である。
【００６９】
要は、次回（例えば翌日）の一定期間（１日）における起動制限回数からオーバ回数を減算した「次回起動制限回数」を算出し、次回（翌日になれば当日）において、その起動カウント部からのカウント値が「次回起動制限回数（本日の起動制限回数）」を超えるとき、省電力モードに移行時でも、その大容量記憶部に電源を継続供給するよう制御すれば良い。
【００７０】
また、本発明の電子機器Ａにおいては、ハードディスク５に限らず、しばしば供給電源のオンオフを繰り返す大容量記憶部において実施可能である。
【００７１】
さらに、本発明に係る電子機器Ａは、上述したように画像形成装置に限定されず、コンピュータ等の情報処理装置、ゲーム機、測定機器その他、ハードディスク５等の大容量記憶部を搭載した種々の電子機器において実施可能である。
【００７２】
さらに、本発明に係る電子機器Ａに搭載された記憶部制御方法においても、電子機器Ａと同様の効果が得られる。
【符号の説明】
【００７３】
１  主制御部
３  画像読取部（画像入力部）
５  ハードディスク（大容量記憶部）
７  ＲＡＭ
９  操作パネル部
１１  通信部（画像入力部）
１３  印刷部（画像形成部）
１５  電源供給部
１７  電源部
１９  本体ケース
２１  シート材
２３  給紙段
２５  転写部
２５ａ  トナーカセット
２５ｂ  感光体ドラム
２５ｃ  ローラ
２７  中間転写ベルト
２９  定着部
３１  排紙部
３３  起動回数算出部
３５  起動カウント部
３７  起動制御部
３９  リセット部
Ａ  電子機器（複合機）
【図１】
2011025423.tif 000003
【図２】
2011025423.tif 000004
【図３】
2011025423.tif 000005
【図４】
2011025423.tif 000006
【図５】
2011025423.tif 000007
【図６】
2011025423.tif 000008